(57)【要約】【課題】シューと押さえ板の間の隙間を吸収して衝突音を発生せず、シュー交換が容易なガイドシューの提供。【解決手段】ガイドレールに摺動するシューを支持するシュー支え金と、着脱式のシュー押さえ板とを備え、シューが、シュー本体と同じ材料で連続して一部品として一体に形成され、シュー本体の端面からガイドレールの方向に突出し、シューの端面の幅よりも小さい厚さを持ち、シュー押さえに蓄勢状態で当接してシューをガイドレールの方向に弾性的に支持する板バネ部とを備えたエレベータガイドシュー。【効果】シューとシュー押さえ板との衝突音が発生しないで、シューの交換が容易にできる。【選択図】図５
2011168391.tif 000002
【特許請求の範囲】
【請求項１】
エレベータのガイドレールに沿って摺動する摺動面、この摺動面と反対側の背面および上記ガイドレールの延びる方向に垂直な端面を持つシューと、
移動体に設けられて、上記シューの上記背面を上記背面に垂直な方向に支持して上記シューを上記ガイドレールに対して摺動可能に支持するシュー支え金と、
上記シュー支え金に着脱式に取り付けられて、上記シューの上記端面を上記端面に垂直な方向に支持するシュー押さえ板とを備えたエレベータのガイドシューにおいて、
上記シューが、シュー本体と、上記シュー本体に設けられて上記端面から上記ガイドレールの延びる方向に突出し、上記シューの上記端面の幅よりも小さい厚さを持ち、上記シュー押さえ板に蓄勢状態で当接して上記シューを上記ガイドレールの延びる方向に弾性的に支持する板バネ部とを備えていることを特徴とするエレベータのガイドシュー。
【請求項２】
上記板バネ部が、上記シュー本体と同じ材料で連続して一部品として一体に形成されていることを特徴とする請求項１に記載のエレベータのガイドシュー。
【請求項３】
上記板バネ部が、上記シューの上記背面側に設けられていることを特徴とする請求項１あるいは２に記載のエレベータのガイドシュー。
【請求項４】
上記板バネ部が、上記シューの上記摺動面側に設けられていることを特徴とする請求項１あるいは２に記載のエレベータのガイドシュー。
【請求項５】
上記シューが、互いに平行な２枚の平行板部分と、これら平行板部分を互いに一体に接続する中間板部分とを持つほぼコ字形の断面形を持ち、上記ガイドレールに三方から摺接する溝形部材であって、上記板バネ部が、上記中間板部分の端面だけに設けられていることを特徴とする請求項１〜４のいずれか一項に記載のエレベータのガイドシュー。
【請求項６】
上記シューが、互いに平行に配置される２枚の平行板と、これら平行板の間で上記平行板に対して直角に配置され上記平行板とは独立した中間板とを持ち、上記平行板および上記中間板がほぼコ字形に配置されており、上記板バネ部が上記平行板および上記中間板の端面にそれぞれ設けられていることを特徴とする請求項１〜４のいずれか一項に記載のエレベータのガイドシュー。
【発明の詳細な説明】
【技術分野】
【０００１】
この発明はエレベータのガイドレールに沿って摺動してかごあるいは釣合錘を案内するガイドシューに関するものである。
【背景技術】
【０００２】
エレベータのガイドシューとしては、ポリエチレン等の低摩擦樹脂で作成されたシューと、シューを保持するためのシュー支えおよびシュー押さえ板と、それらをかごあるいは釣合錘の枠に固定するフレームと、シュー支えとフレームの間の防振ゴムとにより構成されたものが知られている。防振ゴムは、シューをガイドレールに弾性的に押し当てて追従させる作用をするのである。シューは、ガイドレールの３つのガイド面に沿って摺動する摺動面と、この摺動面と反対側の背面と、シューの移動方向に垂直な端面とを持つほぼコ字形の溝形部材であり、シューの移動方向に対して垂直方向にはシュー支えによって背面で支持され、シューの移動方向にはシュー支えに取り付けられたシュー押さえ板によって端面で支持されている。（例えば特許文献１参照）。
【先行技術文献】
【特許文献】
【０００３】
【特許文献１】実開昭５２−９７７７１号公報
【発明の概要】
【発明が解決しようとする課題】
【０００４】
このような従来の装置において、シューは、シュー支えと同じ長さに作成されていて、両端面をシュー押さえ板によって支持されているが、シューは樹脂製であって、特に射出成形で作成されたものは寸法誤差が大きいため、シューとシュー押さえ板との間にシュー移動方向の隙間ができることがある。この隙間が大きくなると、かごや錘の走行中や反転時にシューとシュー押さえ板とが強く衝突し、騒音として顕在化することがある。現在、このような衝突による異音が発生した場合には、シューとシュー押さえ板の間に金属製の板ばねを挿入し、シューを適度な力で押圧することで対応しているが、据付完了後の対策となってしまうことや、対策に手間がかかる等の問題がある。
【０００５】
また、シューは、保守で定期的に新品と交換する必要のある消耗品であり、交換作業においてシューを取り出すには、シュー押さえ板をシュー支えから取り外した後、シューの端部をペンチなどで掴み、ガイドレールとシュー支えとの間から引っ張り出すことで取り外すことができる。しかしながら、前述のとおりシューはレールに対して押し付けられて取り付けられているためにペンチなどの工具を挿入して端部を掴みにくく、また、シューの形状や材質がペンチなどで掴みにくいものであり、さらにかごのアンバランスによりガイドシューには偏荷重がかかりやすいこともあって、ガイドレールとシュー支えとの間からシューを取り外すことが困難である。
【０００６】
従ってこの発明の目的は、シューとシュー押さえ板の間の隙間を吸収できてシューとシュー押さえ板との衝突による騒音が発生しないで、シューの交換が容易なエレベータのガイドシューを提供することである。
【課題を解決するための手段】
【０００７】
この発明によれば、エレベータのガイドレールに沿って摺動する摺動面、この摺動面と反対側の背面および上記ガイドレールの延びる方向に垂直な端面を持つシューと、上記移動体に設けられて、上記シューの上記背面を上記背面に垂直な方向に支持して上記シューを上記ガイドレールに対して摺動可能に支持するシュー支え金と、上記シュー支え金に着脱式に取り付けられて、上記シューの上記端面を上記端面に垂直な方向に支持するシュー押さえ板とを備えたエレベータのガイドシューにおいて、上記シューが、シュー本体と、上記シュー本体に設けられて上記端面から上記ガイドレールの延びる方向に突出し、上記シュー本体の上記端面の幅よりも小さい厚さを持ち、上記シュー押さえ板に蓄勢状態で当接して上記シューを上記ガイドレールの延びる方向に弾性的に支持する板バネ部とを備えていることを特徴とするエレベータのガイドシューが得られる。
【発明の効果】
【０００８】
この発明のエレベータのガイドシューによれば、シューとシュー押さえ板との衝突による騒音が発生しないで、シューの交換が容易にできるという効果が得られる。
【図面の簡単な説明】
【０００９】
【図１】この発明のエレベータのガイドシューの実施の形態１を示す概略側面図である。
【図２】図１の線ＩＩ−ＩＩに沿った概略断面図である。
【図３】図１のエレベータのガイドシューの概略正面図である。
【図４】図１のエレベータのガイドシューのシューの概略上面図である。
【図５】図４の線Ｖ−Ｖに沿った概略側面断面図である。
【図６】図１のエレベータのガイドシューの円Ａで囲んだ部分の拡大図である。
【図７】図３のエレベータのガイドシューの円Ｂで囲んだ部分の拡大図である。
【図８】図１のエレベータのガイドシューのシュー押さえ板を取り外した状態の概略側面図である。
【図９】この発明のエレベータのガイドシューの実施の形態２のシューの概略上面図である。
【図１０】この発明のエレベータのガイドシューの実施の形態３のシューの概略上面図である。
【図１１】図１０のシューの概略側面図である。
【発明を実施するための形態】
【００１０】
以下、この発明をより詳細に説明するため、この発明の実施の形態を添付の図面を参照して説明する。なお、各図中、同一又は相当する部分には同一の符号を付しており、その重複説明は適宜に簡略化ないし省略する。
【００１１】
実施の形態１．
図１〜８にはこの発明の実施の形態１を示してあり、エレベータのガイドシュー１は、図１に想像線で示すかごあるいは釣合錘等の移動体２に取り付けられて、移動体２をガイドレール３に沿って案内するためにガイドレール３に沿って摺動するものである。エレベータのガイドシュー１は、ガイドレール３に沿って摺動するシュー７を備えている。シュー７は例えばポリエチレン等の低摩擦で可撓性の樹脂材料で作られており、シュー７の移動方向は図１および３において矢印Ｘで示す方向である。
【００１２】
シュー７は、図４および５に詳細を示すように、２枚の互いに平行な平行板部分８と、これら平行板部分８を互いに一体に接続する中間板部分９とを持つほぼコ字形の断面形を持つ溝形部材であるシュー本体１０を備えている。シュー本体１０のコ字形に組み合わされた２枚の平行板部分８および中間板部分９のそれぞれの内側の表面は、ガイドレール３に三方から摺接してガイドレール３に沿って摺動案内される摺動面４である。また、この面と反対側で平行な面すなわち平行板部分８および中間板部分９の外側の表面が背面５であり、シュー本体１０の両端で摺動面４と背面５との間に延びていて、ガイドレール３の延長方向すなわちシュー７の移動方向（矢印Ｘの方向）に垂直な面が端面６である。このように、シュー７のシュー本体１０はガイドレール３に三方から摺動面４で摺接する溝形部材である。シュー本体１０の平行板部分８および中間板部分９のそれぞれの摺動面４には、ガイドレール３の微細な凹凸に衝突せずに滑らかな摺動が行われるように面取り１１が施されている。
【００１３】
また、シュー本体１０の平行板部分８および中間板部分９の端面６にはそれぞれ板バネ部１２が設けられている。板バネ部１２は、シュー本体１０に、シュー本体１０と同じ材料で連続して一部品として一体に形成され、シュー本体１０の端面６からガイドレール３の方向すなわちシュー７の移動方向（矢印Ｘの方向）に突出している。板バネ部１２は、シュー本体１０の端面６の幅よりも小さい厚さを持ち、シュー本体１０の端面６上で背面５側に設けられている。図示の例では板バネ部１２が２つの平行板部分８および中間板部分９のそれぞれの端面６に設けられていて、合計３つあるが、いずれか一つだけにすることもでき、その場合中間板部分９にだけに設けるのが望ましい。また、板バネ部１２は図５において上側の端面６だけに設けられているが、必要があれば、下側の端面６だけにあるいは上側にも下側にも同様に設けることもできる。
【００１４】
エレベータのガイドシュー１はまた、かごあるいは釣合錘などの移動体２に防振ゴム１９およびブラケット２０等の支持機構を介して取り付けられて、シュー７のシュー本体１０のそれぞれの背面５を、背面５に垂直な方向に支持してシュー７をガイドレール３に対して摺動可能に支持するシュー支え金１３を備えている。シュー支え金１３は、２枚の互いに平行な板部材１４と、板部材１４の間を連結する中間部材１５とを持つ断面形がほぼコ字形の溝形部材であって、両端で板部材１４からそれぞれ外側に突出したフランジ１６を持っている。シュー支え金１３の図で上側のフランジ１６には、ボルトとナットなどの締結具１７によって着脱式に取り付けられてシュー７の端面６を、端面６に垂直な方向すなわちシュー７の移動方向に支持するシュー押さえ板１８が設けられている。
【００１５】
シュー本体１０の高さすなわちシュー７の移動方向の長さは、シュー支え金１３のシュー７の移動方向の長さよりも例えば１ｍｍ程度の若干量だけ低くしてあり、板バネ部１２を含めたシュー７の高さはシュー支え金１３の高さよりも高く作られており、シュー押さえ板１８をシュー支え金１３に取り付けた際には、図６および７に示すようにシュー７の板バネ部１２が撓んで曲げられてばね作用力が蓄えられた蓄勢状態となる。図６には図１の円Ａで囲んだ部分が拡大して示されていて、図７には図３の円Ｂで囲んだ部分が拡大して示されている。図示の例では板バネ部１２はシュー本体１０の背面側の端面６に設けられていて、ガイドレール３側に向かって撓むことができるため、シュー７の背面側にスペースが無い場合にも有効である。板バネ部１２の長さは、ガイドレール３に接触した状態で走行すると異音の発生が懸念されるため、ガイドレール３に当たらないような寸法、つまりシュー本体１０の厚さ程度の寸法にしてある。
【００１６】
このように、シュー本体１０の中間板部分９の板バネ部１２は、撓められて蓄勢状態とされたとき、ポリエチレン等の樹脂の弾性により板ばねとして作用するため、シュー７を適度にシュー７の移動方向に押さえることができ、シュー７とシュー押さえ板１８との間の間隙を吸収して衝突を防止することが可能となる。このように、シュー本体１０から延びた板バネ部１２は、シュー押さえ板１８に蓄勢状態で当接してシュー７をシュー７の移動方向すなわちガイドレール３の方向に弾性的に支持することができる。
【００１７】
図８には、シュー７を交換するときに、シュー支え金１３からシュー押さえ板１８を取り外した状態を示す。このときエレベータのガイドシュー１は移動体に取り付けたままでよい。シュー７の板バネ部１２は、図６あるいは７に示すように撓んでばね作用力が蓄えられた蓄勢状態から、シュー７の移動方向に真っ直ぐに延びた平板状になった解放状態に戻っている。この状態では、ペンチなどの工具を用いて板バネ部１２を掴むことが容易であり、そのままシュー７の移動方向で上方に引っ張ってシュー７をガイドレール３とシュー支え金１３との間から引き抜くことができる。
【００１８】
このように、この実施の形態のエレベータのガイドシュー１によれば、シュー７とシュー押さえ板１８との間の隙間を吸収できて、シューとシュー押さえ板との衝突音が発生しない。また、シューの交換が容易である。また、板バネ部１２とシュー本体１０とは同一樹脂材料で連続した一体の一部品として形成されているため、一体成形することができ、従来必要であった金属製板ばねなどの追加により部品点数を増やす必要がない。
【００１９】
実施の形態２．
図９に示すシュー７においては、板バネ部１２がシュー本体１０の平行板部分８には設けられておらず、中間板部分９だけに設けられていて、また板バネ部１２は中間板部分９の端面６の摺動面側すなわちガイドレール３側に設けられている。この場合も、板バネ部１２の撓む方向はガイドレール３の方向でよい。
【００２０】
実施の形態３．
図１０および１１に示すシュー７は、互いに平行に配置される２枚の平行板２１と、これら平行板２１の間で平行板２１に対して直角に配置され平行板２１とは独立した中間板２２とで構成されたものである。このシュー７は、平行板２１および中間板２２がほぼコ字形に配置されて、図１〜３に示すシュー支え金１３と同様のシュー支え金によってガイドレール３に三方から摺接するように支持されている。板バネ部１２は、平行板２１および中間板２２の端面６にそれぞれ設けられている。
【００２１】
以上に図示して説明したエレベータのガイドシューは単なる例であって様々な変形が可能であり、またそれぞれの具体例の特徴を全てあるいは選択的に組み合わせて用いることもできる。例えば、板バネ部１２はシュー本体１０に適当な手段で取り付けた別個の部品として別の材料で作ることもできる。
【産業上の利用可能性】
【００２２】
この発明はエレベータのガイドシューに利用できるものである。
【符号の説明】
【００２３】
１  ガイドシュー、２  移動体、３  ガイドレール、４  摺動面、５  背面、６  端面、７  シュー、８  平行板部分、９  中間板部分、１０  シュー本体、１１  面取り、１２  板バネ部、１３  シュー支え金、１４  板部材、１５  中間部材、１６  フランジ、１７  締結具、１８  シュー押さえ板、１９  防振ゴム、２０  ブラケット、２１  平行板、２２  中間板。
【図１】
2011168391.tif 000003
【図２】
2011168391.tif 000004
【図３】
2011168391.tif 000005
【図４】
2011168391.tif 000006
【図５】
2011168391.tif 000007
【図６】
2011168391.tif 000008
【図７】
2011168391.tif 000009
【図８】
2011168391.tif 000010
【図９】
2011168391.tif 000011
【図１０】
2011168391.tif 000012
【図１１】
2011168391.tif 000013